(57)【要約】【課題】改良されたモーターサイクルのウインカ制御装置を提供する。【解決手段】ケース１の前面開口に操作ボタン２と押しボタンロッド２４を設け，ケース１の内部に操作部ケース３を取り付け、操作部ケース３内部に操作ボタンにより左右にスライドするスライダ組立体を設け、操作部ケース３の裏蓋部材に左右のウインカ接点８２、８３と，細長い制御レバー収納溝８０を設け、左右一対の制御レバー６、７を取り付け、操作ボタン２が左右何れかにスライドしたとき、操作ボタン２と共に移動位置にスライドしたスライダ組立体がこの制御レバー６、７によりロックされ、押しボタンロッド２４が押圧されたとき，このロックが解除されるように構成する。【選択図】図１
2004095371.tif 000002
【特許請求の範囲】
【請求項１】
下記の構成要素、即ち、
ａ）　押しボタンロッド（２４）。
ｂ）　内部に押しボタンロッド（２４）が所定範囲でスライド自在に挿通される貫通孔（２９）が設けられ、端部に突起縁（２２、２３）を有する突起を備えた操作ボタン（２）。
ｃ）　　操作ボタン（２）と、押しボタンロッド（２４）の間に介挿され、押しボタンロッド（２４）を外方に押し出すよう弾性力を与えるばね（２７）。
ｄ）　前面に設けた開口（１２）に、操作ボタン（２）が挿通され、左右にスライド自在に取り付けられるケース（１）。
ｅ）　ケース（１）と、操作ボタン（２）の間に介挿され、操作ボタン（２）を常時中立位置に保持するよう弾性力を与える復元ばね（１３）。
ｆ）　　中央に操作ボタン（２）の突起が左右動自在に相通される開口（３１）を有し、ケース（１）の内部に取り付けられる操作部ケース（３）。
ｇ）　左右に対をなして相対向して設けられる一対のコの字形部材であって、後背部にそれぞれ接点部材（４６、５６）が取り付けられており、方形に組み合わせたとき、中央に操作ボタン（２）の突起の先端がしっくりと挿入され、押しボタンロッド（２４）がスライド自在に挿通される開口を有するスライダを構成し、操作部ケース（３）の内部に、操作ボタン（２）の左右スライドに応じて、左右動自在に保持されるスライダ部材（４、５）　。
ｈ）　操作部ケース（３）と、スライダ部材（４、５）の間に介挿され、スライダ部材（４、５）に、それらを常時中立位置に向かって押圧する弾性力を作用させる復元ばね（４７、５７）。
ｉ）　　操作ボタン（２）の左右スライドに応じて、接点部材（４６、５６）　の何れか一方により選択的に導通される右左各一対のウインカ用接点（８２、８３）と、細長い制御レバー収納溝（８０）　を有し、操作部ケース（３）の背面に取り付けられその背面開口を閉塞する裏蓋部材（８）。
ｊ）　それぞれ一端にヒンジピンを備え、前面側に各３個の制御突起（６１、６２、６３と７１、７２、７３）を有し、裏蓋部材（８）の制御レバー収納溝（８０）内に、ヒンジピンにより回動自在に取り付けられる一対の制御レバー（６、７）。
ｋ）　裏蓋部材（８）の制御レバー収納溝（８０）の底面と制御レバー（６、７）との間に介挿され、制御レバー（６、７）の自由端をスライダ部材（４、５）に押し当てるよう弾性力を作用する圧縮ばね（６４、７４）。
とから成り、操作ボタン（２）が左右何れかにスライドし、スライダ部材（４、５）がそれらの移動位置に移動したとき、
一対の制御レバー（６、７）が、操作ボタン（２）の左右スライドに応じて、微小角回転運動して、その制御突起（６１、６２又は７１、７２）によりスライダ部材（４、５）をその移動位置にロックし、操作ボタン（２）が中立位置に戻った後も、スライダ部材（４、５）をその移動位置に保持して、対応するウインカ接点（８２又は８３）の導通を維持すると共に、押しボタンロッド（２４）が押されたときは、押しボタンロッド（２４）の先端に押されて、制御レバー収納溝（８０）内に押し込まれ、スライダ部材（４、５）のロックを解除し、中立位置に復帰させるよう構成された、モーターサイクル用ウインカを制御するスイッチ装置。
【発明の詳細な説明】
【０００１】
【発明の属する技術分野】
本発明はモーターサイクルのウインカ制御スイッチ装置に関する。
【０００２】
【従来の技術】
生活水準の向上に伴い、消費者は製品に対して快適性、利便性、安全性を強く要求するようになっていることから、人口密度が日増しに増加する今日において、とりわけ大都市部では、モーターサイクルは、場所を取らず駐車が便利であるという長所により、有効かつ便利で安全に人類の「行動」の問題を解決するものとして、重要な地位を占めている。このことから、モーターサイクル業者は消費者の購買欲を刺激するため、モーターサイクルの各部部材に対して思考を凝らし改良を行うことで、製品の品質を向上し、更に利便性、実用性および安全性を増進することで、消費者を捉えようとしており、同時に、これはまた産業の進歩を刺激する動力にもなっている。本発明はすなわちモーターサイクルのウインカ制御スイッチに対して改良を行うものである。まず従来の同類製品に対して検討してみる。
尚、本明細書で、前後左右上下と言うときは、図１に示したケース１の正面に向かって、前後左右上下と言うものとする。
【０００３】
現在、市販されているモーターサイクルのウインカ制御スイッチは、すでに初期の左、中間、右の三段階スライドスイッチから単に左、右のみスライドの二段階式にまで進歩しており、ウインカの点滅を制御するとともに、プッシュボタン式で電源回路を遮断するようになっている。つまり、プッシュボタンを押し下げなけレバー、ウインカは引続き点滅を続けるようになっている。これは運転者の不用意な操作でウインカが消灯してしまうことを防止するために設けられたものであって、従来の製品の構造は図５に示すとおり、このタイプのウインカはホーンと一電子部材を共用している。
図５を参照されたい。改良後のウインカスイッチはケース内に一つの電子部品を設けるとともに、ウインカとブザーとの電線をそれぞれはんだ溶接するものである。
当該電子部品はスライダＡを備え、スライダＡの上面の幾つかの接点は、左右スライドの際にちょうど左または右ウインカの電線を導通状態にさせる。スライダＡはテーパ状斜面Ａ１を形成する。ウインカスイッチの押し軸ＢはビスＢ１によってねじ止めされるとともに、二つのストッパＢ２はテーパ状斜面Ａ１に当接する。押し軸ＢはビスＢ１によって取り付けられると共に、二つのストッパＢ２がテーパ状斜面Ａ１に当接することで、スライダＡをスライドさせる。押し軸Ｂの底部は鋼球Ｂ３と復元ばねＢ４であり、両者は収納空間Ｃ内に収納されるとともに、鋼球Ｂ３を押し軸Ｂの底部凹面Ｂ５内に当接させる。ホーン部分は本発明の範疇とは関係ないので、記載しない。
【０００４】
図６に示すように、押し軸Ｂが操作されたとき、押し軸ＢのストッパＢ２はテーパ状斜面Ａ１に当接し、スライダＡをスライド移動させウインカ回路を導通状態にする。図７に示すように、導通を切断しウインカを停止させたい場合、押し軸Ｂを押下する。図８に示すように、押し軸Ｂを鋼球Ｂ３とばねＢ４に押圧させた後に、同じく図９に示すように、押し軸ＢのストッパＢ２がスライダＡを中間位置にスライド復帰させるとともに、電流回路が遮断される。そして、このウインカ制御装置の四大欠点は以下のとおりである。
【０００５】
まず、この材料の組合せは全体を摩耗、破損しやすくし、接触不良を招く。押し軸は鉄材であり、その底部の鋼球、復帰ばねの収納空間はプラスチックスであるため、頻繁に操作すると、押し軸が収納空間を摩耗させ徐々に拡大し、接触不良を招く。
【０００６】
次に、押し軸はわずかに一本のビスのみで取り付けられており、ある程度の時間使用すると、ビスは弛緩しやすくなり、作動の不正確を招く。
【０００７】
そして、全体を組付ける際、ケースの接合度が悪く、隙間が残り、雨水の浸透に遭うと電線配線のショートを招く。
【０００８】
最後に、ウインカとホーンとは一つの電子部品を共用するため、その一つが故障したときには全体を分解しなけレバーならず、点検・修理が不便である。
【０００９】
従来のモーターサイクルのウインカ制御装置には以上のような欠点がある。
【００１０】
【発明が解決しようとする課題】
本発明者は従来製品に対して改良を施すものである。本発明の目的は、モーターサイクルのウインカ制御装置を一体に構成し、組立て、交換が容易であるのみならず、全体がプラスチックスで製造されていることから、摩耗、破損しにくく、使用寿命が長いモーターサイクルのウインカ制御装置を提供しようとすることである。以下、図面により詳細な説明を行う。
【００１１】
【課題を解決するための手段】
叙上の本発明の目的は、下記の構成要素、即ち、
ａ）　押しボタンロッド（２４）。
ｂ）　内部に押しボタンロッド（２４）が所定範囲でスライド自在に挿通される貫通孔（２９）が設けられ、端部に突起縁（２２、２３）を有する突起を備えた操作ボタン（２）。
ｃ）　　操作ボタン（２）と、押しボタンロッド（２４）の間に介挿され、押しボタンロッド（２４）を外方に押し出すよう弾性力を与えるばね（２７）。
ｄ）　前面に設けた開口（１２）に、操作ボタン（２）が挿通され、左右にスライド自在に取り付けられるケース（１）。
ｅ）　ケース（１）と、操作ボタン（２）の間に介挿され、操作ボタン（２）を常時中立位置に保持するよう弾性力を与える復元ばね（１３）。
ｆ）　　中央に操作ボタン（２）の突起が左右動自在に相通される開口（３１）を有し、ケース（１）の内部に取り付けられる操作部ケース（３）。
ｇ）　左右に対をなして相対向して設けられる一対のコの字形部材であって、後背部にそれぞれ接点部材（４６、５６）が取り付けられており、方形に組み合わせたとき、中央に操作ボタン（２）の突起の先端がしっくりと挿入され、押しボタンロッド（２４）がスライド自在に挿通される開口を有するスライダを構成し、操作部ケース（３）の内部に、操作ボタン（２）の左右スライドに応じて、左右動自在に保持されるスライダ部材（４、５）　。
ｈ）　操作部ケース（３）と、スライダ部材（４、５）の間に介挿され、スライダ部材（４、５）に、それらを常時中立位置に向かって押圧する弾性力を作用させる復元ばね（４７、５７）。
ｉ）　　操作ボタン（２）の左右スライドに応じて、接点部材（４６、５６）　の何れか一方により選択的に導通される右左各一対のウインカ用接点（８２、８３）と、細長い制御レバー収納溝（８０）　を有し、操作部ケース（３）の背面に取り付けられその背面開口を閉塞する裏蓋部材（８）。
ｊ）　それぞれ一端にヒンジピンを備え、前面側に各３個の制御突起（６１、６２、６３と７１、７２、７３）を有し、裏蓋部材（８）の制御レバー収納溝（８０）内に、ヒンジピンにより回動自在に取り付けられる一対の制御レバー（６、７）。
ｋ）　裏蓋部材（８）の制御レバー収納溝（８０）の底面と制御レバー（６、７）との間に介挿され、制御レバー（６、７）の自由端をスライダ部材（４、５）に押し当てるよう弾性力を作用する圧縮ばね（６４、７４）。
とから成り、操作ボタン（２）が左右何れかにスライドし、スライダ部材（４、５）がそれらの移動位置に移動したとき、
一対の制御レバー（６、７）が、操作ボタン（２）の左右スライドに応じて、微小角回転運動して、その制御突起（６１、６２又は７１、７２）によりスライダ部材（４、５）をその移動位置にロックし、操作ボタン（２）が中立位置に戻った後も、スライダ部材（４、５）をその移動位置に保持して、対応するウインカ接点（８２又は８３）の導通を維持すると共に、押しボタンロッド（２４）が押されたときは、押しボタンロッド（２４）の先端に押されて、制御レバー収納溝（８０）内に押し込まれ、スライダ部材（４、５）のロックを解除し、中立位置に復帰させるよう構成された、モーターサイクル用ウインカを制御するスイッチ装置
によって達成される。
【００１２】
図１を参照されたい。
適宜に開口１２を設けたケース１の内部に、中空で、前面に開口３１を有する操作部ケース３を設け、開口１２には操作ボタン２を挿入する。
ケース１と操作ボタン２の互いの密着面には各々ばね収納溝１１、２１を設けるが、これは、この溝内に復元ばね１３を装着し、これにより操作ボタン２を中立位置に保持するためのものである。
操作ボタン２は貫通孔２９を有する突起２８を有し、突起２８の中間部には左右に突起縁２２、２３が設けられる。貫通孔２９にはばね２７と押しボタン２４の脚部を挿入し、操作ボタン２の突起を上下に貫通しているピンガイド用の長孔を通して押しボタン２４のピン孔にピン２６を打ち込み、押しボタン２４の脚が操作ボタン２の貫通孔２９内で一定距離スライドできるように押しボタン２４を装着する。操作ボタン２をケース１の開口１２の内部に挿入し、コの字形ストッパ２８を突起縁２２、２３に掛かるよう取り付け、操作ボタン２をケース１に一定距離左右にスライド自在に取り付ける。
【００１３】
操作部ケース３は、前後に貫通する開口を有する中空のケースであり、その前面には開口３１が設けられ、内壁の両短辺中段に各々位置決め突起３３、３４が形成され、内部にはスライダ部材４、５から成るスライダ組立体が収納される。
スライダ部材４、５から成るスライダ組立体は、長方形状の枠体であり、その両外側の側面には、操作部ケース３の位置決め突起３３、３４に対応する位置に、それぞれ凹孔４２（図示されていない。）及び５２が設けられ、当該凹孔４２、５２と位置決め突起３３、３４との間には、それぞれ復元ばね４７、５７が設けられる。この復元ばね４７、５７は圧縮ばねであり、その弾性力により、スライダ４、５部材から成るスライダ組立体は常時一体となって作動する。
【００１４】
スライダ組立体はその前面に操作ボタン２の突起の先端がしっくりと挿入される角穴が形成されており、その角穴と同軸に押しボタンロッド２４の先端が挿入される貫通孔が設けられている。このため、スライダ組立体は、操作ボタン２の左右スライドに伴って、操作部ケース３の内部で左右に移動する。
又，各スライダ４、５部材の背面側には導体片取附溝４３、５３（４３は図示されていない。）が設けられ、ここに圧縮ばね４８、５８と共にＨ字形導体片４６、５６が取り付けられる。これらの導体片４６、５６の先端接点４６１、５６１は、操作ボタン２の左右スライドに応じてスライダ組立体が移動した際、裏蓋部材８の接点８２又は８３を選択的に短絡し、ウインカのランプを点滅させる。更に具体的に言えば、スライダ組立体が中立位置にあるときは、導体片４６、５６の先端接点４６１、５６１は何れも接点８２又は８３
に触れていないが、例えば，操作ボタン２が操作され、スライダ組立体が右方向に移動すると、導体片４６の先端接点４６１が、接点８２に接触し右ウインカを点滅させ、左方向に移動すると、導体片５６の先端接点５６１が、接点８３に接触しに左ウインカを点滅させる。
【００１５】
一方、裏蓋部材８の両端に設けた係合爪８１、８１を操作部ケース３両側の係合スリット３５、３５（一方のスリットは図示されていない。）に契合することによって、操作部ケース３と裏蓋部材８は密閉された一体のケースとなる。
また裏蓋部材８には、それぞれ右及び左のウインカ用の電気接点８２、８３の外に、一対の細長い制御レバー６、７を収容する制御レバー収納溝８０が設けられている。制御レバー６、７はいずれもその一端にヒンジピンを有し、それらのヒンジピンは制御レバー収納溝８０の一端に設けた短い縦溝に取り付けられ、これにより、制御レバー６、７が回動自在に保持される。
制御レバー６、７の自由端側には後方に向かう小さな突起が設けられ、これらの突起には圧縮ばね６４、７４が取り付けられ、圧縮ばね６４、７４は制御レバー収納溝８０の底面との間で圧縮され、制御レバー６、７を外方に開かせるよう弾性力を作用させている。
又、制御レバー６、７はその前面側に、各３個の制御突起６１、６２、６３及び７１、７２、７３を有する。
これらの制御突起６１、６２、６３及び７１、７２、７３は、スライダ組立体が中立位置から左右何れかに移動したとき、そのスライダ組立体をその移動位置にロックし、操作ボタン２が解放されその中立位置に戻った後も、スライダ組立体をその移動位置に保持し、ウインカの点滅状態を維持すると共に、押しボタンロッド２４が押し込まれたときは、上記ロックを解除して、スライダ組立体を中立位置に復帰させるものである。
【００１６】
図２ないし５により、制御突起６１、６２、６３及び７１、７２、７３の機能を説明する。
制御レバー６，７の各３個の制御突起は各々異なる機能を備えており、制御レバー７（制御レバー６も同様）を例に取レバー、最先端の制御突起７１は操作ボタン２の右方向操作よって、突起縁２２がスライダ部材４の面４４に当接すると、スライダ部材４の係止面４５が、制御突起７１の右外側までスライドする。そうすると圧縮ばね７４の弾性力によって、制御レバー７の制御突起７１が、係止面４５に係止され、これによりスライダ部材４，つまり、スライダ組立体がその位置にロックされ、操作ボタン２が解放され中立位置に戻ってもそのロックが保たれる。
また中央の制御突起７２は、操作ボタン２の押しボタンロッド２５を押し下げたとき、押しボタンロッド２５の下端面２４により、押し下げられ、制御レバー６を制御レバー収納溝８０内に退避させ、これにより上記のスライダ部材４のロックを解除し、中立位置に復帰させる。
【００１７】
制御レバー７の制御突起７１が係止面４５に係止されたとき、制御突起７３は同時にスライダ部材５の後背面に設けられた嵌入孔５１内に嵌入されるもので、その目的は、運転者が緊急に際して、操作ボタン２の右方向スライド操作によりスライダ部材５の左方向移動を牽制し、嵌入孔５１内の斜面による押し上げ効果で、制御レバー７を押し下げ、制御突起７１と係止面４５とのロックを解除し、スライダ組立体の中立位置復帰、制御レバー６の上昇、そしてその制御突起６１をスライダ部材５の係止面５５に係止するというウインカの迅速な切換の目的を達する。
【００１８】
組立ての際は、まず操作ボタン２に押しボタンロッド２４を取り付け、それをケース１の開口１２に挿入して、コの字形ストッパ２８で固定する。
次いで、操作部ケース３をケース１内にねじ留めし、操作部ケース３内に各スライダ部材４、５を配置し、凹孔４２、５２と位置決め突起３３、３４との間に復元ばね４７、５７を取り付ける。両スライダ部材４、５の背面に設けた導体片取附溝４３（図示されていない。）及び５３にはそれぞれ圧縮ばね４８、５８と共にＨ字形導体片４６、５６を取り付け、裏蓋部材８の制御レバー収納溝８０には制御レバー６、７装着するとともに、制御レバー６、７と制御レバー収納溝８０の底面との間には圧縮ばね６４、７４を挿入し、
更に、裏蓋部材８の両側に設けた係合爪８１，８１を、操作部ケース３の両側壁に設けた係合スリット３５、３５に嵌め込むことにより、図２に示す密封された製品を得る。
【００１９】
【作用】
ウインカを使用する際について説明すると、図３は、操作ボタン２を右方向にスライド移動させた状態（左方向も同様）である。
操作ボタン２右方向に移動させたとき、右側スライダ部材４は操作ボタン２の右側突起縁２２から右向きの力を受け、その右方に示す作動線上にまでスライド移動される。
このとき右側スライダ部材４の係止面４５は既に左側制御レバー７の制御突起７１の右側まで移動していることから、左側制御レバー７は右側スライダ部材の４底面に当接しなくなるので、圧縮ばね７４の弾性力の作用を受け、上方に持ち上げられ、右側スライダ部材４の係止面４５に当接し、右側スライダ部材４を係止する。
このとき左側制御レバー７の制御突起７３は同時に左側スライダ部材５の嵌入溝５１内に嵌め込まれ、Ｈ字形導体片４６の両脚部接点４６１が裏蓋部材８上の右ウインカ接点８２に接触し、右ウインカ回路が導通し、右ウインカが点滅する。
【００２０】
ウインカの点灯をキャンセルしたい場合、図４に示すとおり、操作ボタン２の押しボタンロッド２５を押し下げ、その先端を左側制御レバー７の制御突起７２に当接させ、押圧して、制御レバー７を制御レバー収納溝８０内に下降させる。このときは最早、右側スライダ部材４は左制御レバー７の制御突起７１に用るロックが外されているため、スライダ部材４はＨ字形導体片４３と共に復元ばね４７の弾性力の作用を受け、作動前の中立状態に復帰する。
【００２１】
【発明の効果】
上記を総合すると、本発明の主な特徴および長所を以下のように総括できる。まず、ウインカは速やかに左右に切換でき、かつ切替に必要な力も小さくて済み、操作者の１本の指による操作で足り、便利で、スムーズである。
部材の組付けは簡便で、故障率は低く、製造コストを大幅に低減し、ひいては産業的価値を備え、しかもケースは密封体であって、雨が降っても雨水が浸入することによるショートの不具合の発生を招くことはない。
【００２２】
次に、各作動要素はいずれもプラスチックス材質であるので、機械的抵抗が少なく作動は軽快正確である。
そして、ウインカとホーンその他のボタンは各自独立した配線であるので、故障の際でも、単に当該部分に対して点検、修理するのみで足り、全体を分解する必要はなく、便利である。
【００２３】
本発明に係る装置の組立ては容易で、操作も簡便であり、実用性および新規性を備えた発明であって、実公平７−２２８２４号の「キャンセルボタン付ウインカスイッチ」実用新案に比べても実用性と進歩性をより備えたものである。
【００２４】
尚、本発明の構成は叙上の実施例と示した構成に限定されるものでなく、各構成要素の形状、構成は自由に設計変更し得るものであって、本発明は叙上の説明から当業者が容易に想到し得る総ての変更例を包摂するものである。
【図面の簡単な説明】
【図１】本発明に係るウインカ制御装置の立体分解図である。
【図２】本発明に係るウインカ制御装置の組立て概略図である。
【図３】本発明に係るウインカ制御装置の動作説明図（一）である。
【図４】本発明に係るウインカ制御装置の動作説明図（二）である。
【図５】従来技術に係るウインカ制御装置の概略図である。
【図６】従来技術に係るウインカ制御装置の動作説明図（一）である。
【図７】従来技術に係るウインカ制御装置の動作説明図（二）である。
【図８】従来技術に係るウインカ制御装置の動作説明図（三）である。
【図９】従来技術に係るウインカ制御装置の動作説明図（四）である。
【図１０】本発明に係るウインカ制御装置の動作説明図（五）である。
【図１１】従来技術に係るウインカ制御装置の動作説明図（六）である。
【図１２】従来技術に係るウインカ制御装置の動作説明図（七）である。
【図１３】従来技術に係るウインカ制御装置の動作説明図（八）である。
【図１４】従来技術に係るウインカ制御装置の動作説明図（九）である。
【図１５】従来技術に係るウインカ制御装置の動作説明図（十）である。
【図１６】従来技術に係るウインカ制御装置の動作説明図（十一）である。
【符号の説明】
１　ケース
１１　ばね収納溝
１２　開口
１３　復元ばね
２　操作ボタン
２２　右側突起縁
２２　突起縁
２４　下端面
２５　押しボタンロッド
２６　ピン
２８　　コ字形ストッパ
２８　突起
２９　貫通孔
３　操作部ケース
３１　開口
３３　突起
３５　　係合スリット
４　スライダ部材
４２　凹孔
４３　Ｈ　　字形導体片
４３　導体片取附溝
４４　　面
４５　　係止面
４６　　Ｈ字形導体片
４６１　先端接点
４７　　復元ばね
４８　圧縮ばね
５　スライダ部材
５１　　嵌入孔
５５　係止面
５６　導体片
５６１　先端接点
６　制御レバー
６１　制御突起
６２　　制御突起
６３　　制御突起
７　制御レバー
７１　制御突起
７２　　制御突起
７３　　制御突起
７４　圧縮ばね
８　裏蓋部材
８０　制御レバー収納溝
８１　係合爪
８２　　右ウインカ接点
８２　接点
８３　接点
【図１】
2004095371.tif 000003
【図２】
2004095371.tif 000004
【図３】
2004095371.tif 000005
【図４】
2004095371.tif 000006
【図５】
2004095371.tif 000007
【図６】
2004095371.tif 000008
【図７】
2004095371.tif 000009
【図８】
2004095371.tif 000010
【図９】
2004095371.tif 000011
【図１０】
2004095371.tif 000012
【図１１】
2004095371.tif 000013
【図１２】
2004095371.tif 000014
【図１３】
2004095371.tif 000015
【図１４】
2004095371.tif 000016
【図１５】
2004095371.tif 000017
【図１６】
2004095371.tif 000018